【手続補正書】
【提出日】平成28年7月26日(2016.7.26)
【手続補正１】
【補正対象書類名】明細書
【補正対象項目名】０００６
【補正方法】変更
【補正の内容】
【０００６】
上記課題を解決するため、本発明に係る情報通信装置は、
通信回線を介して接続された外部装置と通信する通信手段と、前記通信手段を介さずに第一の所定の情報を取得する第１取得手段と、前記外部装置により取得された第二の所定の情報を、当該外部装置から前記通信手段を介して取得する第２取得手段と、前記通信手段により前記外部装置と情報通信可能に接続されているか否かを判定する判定手段と、前記判定手段により前記外部装置と接続されていると判定されると、前記第２取得手段による取得処理を実行する一方で、前記判定手段により前記外部装置と接続されていないと判定されると、前記第１取得手段による取得処理を実行するように制御する制御手段と、を備えたことを特徴としている。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
通信回線を介して接続された外部装置と通信する通信手段と、
前記通信手段を介さずに第一の所定の情報を取得する第１取得手段と、
前記外部装置により取得された第二の所定の情報を、当該外部装置から前記通信手段を介して取得する第２取得手段と、
前記通信手段により前記外部装置と情報通信可能に接続されているか否かを判定する判定手段と、
前記判定手段により前記外部装置と接続されていると判定されると、前記第２取得手段による取得処理を実行する一方で、前記判定手段により前記外部装置と接続されていないと判定されると、前記第１取得手段による取得処理を実行するように制御する制御手段と、
を備えたことを特徴とする情報通信装置。
【請求項２】
前記第１取得手段は、測位衛星から送信された信号を前記第一の所定の情報として取得し、
前記第２取得手段は、前記外部装置により前記測位衛星から受信された信号を前記第二の所定の情報として、当該外部装置から前記通信手段を介して取得することを特徴とする請求項１に記載の情報通信装置。
【請求項３】
前記第一の所定の情報及び前記第二の所定の情報は、位置情報を含むことを特徴とする請求項１に記載の情報通信装置。
【請求項４】
前記測位衛星から送信された信号に基づいて現在位置を測位する測位手段と、
前記制御手段の制御下にて前記通信手段により取得された信号を逐次保持する保持手段と、を更に備え、
前記測位手段は、
前記保持手段に保持されている信号を利用して、現在位置を測位することを特徴とする請求項２に記載の情報通信装置。
【請求項５】
撮像手段と、
前記撮像手段によって撮像された画像データと、前記第１取得手段又は前記第２取得手段によって取得された前記第一の所定の情報又は前記第二の所定の情報とを対応付けて記録する記録手段と、を更に備えたことを特徴とする請求項１に記載の情報通信装置。
【請求項６】
前記撮像手段による撮像を指示する指示手段を更に備え、
前記判定手段は、前記指示手段により撮像が指示された場合に、前記通信手段により前記外部装置と情報通信可能に接続されているか否かを判定することを特徴とする請求項５に記載の情報通信装置。
【請求項７】
前記制御手段は、更に、前記判定手段により前記外部装置と接続されていると判定されると、前記第１取得手段による取得処理を停止させるように制御することを特徴とする請求項１に記載の情報通信装置。
【請求項８】
前記制御手段は、前記判定手段により前記外部装置と接続されていると判定されると、前記第二の所定の情報に基づいて時刻を修正する処理を実行する一方で、前記判定手段により前記外部装置と接続されていないと判定されると、前記第一の所定の情報に基づいて時刻を修正する処理を実行するように制御することを特徴とする請求項１に記載の情報通信装置。
【請求項９】
前記通信手段は、近距離無線通信として機能するように構成されることを特徴とする請求項１に記載の情報通信装置。
【請求項１０】
複数の情報通信装置が通信回線を介して接続された情報通信システムであって、
前記複数の情報通信装置の少なくとも一つは、
前記通信回線を介さずに第一の所定の情報を取得する第１取得手段と、
前記複数の情報通信装置のうちの他の情報通信装置により受信された第二の所定の情報を、当該他の情報通信装置から前記通信回線を介して取得する第２取得手段と、
前記複数の情報通信装置のうち少なくとも一つと前記通信回線を介して情報通信可能に接続されているか否かを判定する判定手段と、
前記判定手段により前記複数の情報通信装置のうち少なくとも一つと接続されていると判定されると、前記第２取得手段による取得処理を実行する一方で、前記判定手段により前記複数の情報通信装置と接続されていないと判定されると、前記第１取得手段による取得処理を実行するように制御する制御手段と、
を備えたことを特徴とする情報通信システム。
【請求項１１】
前記第１取得手段は、測位衛星から送信された信号を前記第一の所定の情報として取得し、
前記第２取得手段は、前記他の情報通信装置により前記測位衛星から受信された信号を前記第二の所定の情報として、当該他の情報通信装置から前記通信回線を介して取得することを特徴とする請求項１０に記載の情報通信システム。
【請求項１２】
前記第一の所定の情報及び前記第二の所定の情報は、位置情報を含むことを特徴とする請求項１０に記載の情報通信システム。
【請求項１３】
通信回線を介して接続された外部装置と通信する通信手段を備える情報通信装置を用いた情報通信方法であって、
前記通信手段を介さずに第一の所定の情報を取得する第１取得ステップと、
前記外部装置により取得された第二の所定の情報を、当該外部装置から前記通信手段を介して取得する第２取得ステップと、
前記通信手段により前記外部装置と情報通信可能に接続されているか否かを判定する判定ステップと、
前記判定ステップにより前記外部装置と接続されていると判定されると、前記第２取得ステップによる取得処理を実行する一方で、前記判定ステップにより前記外部装置と接続されていないと判定されると、前記第１取得ステップによる取得処理を実行するように制御する制御ステップと、
を含むことを特徴とする情報通信方法。
【請求項１４】
通信回線を介して接続された外部装置と通信する通信手段を備える情報通信装置のコンピュータを、
前記通信手段を介さずに第一の所定の情報を取得する第１取得手段、
前記外部装置により取得された第二の所定の情報を、当該外部装置から前記通信手段を介して取得する第２取得手段、
前記通信手段により前記外部装置と情報通信可能に接続されているか否かを判定する判定手段、
前記判定手段により前記外部装置と接続されていると判定されると、前記第２取得手段による取得処理を実行する一方で、前記判定手段により前記外部装置と接続されていないと判定されると、前記第１取得手段による取得処理を実行するように制御する制御手段、
として機能させることを特徴とするプログラム。
【請求項１５】
通信回線を介して接続された外部装置と通信する通信手段と、
前記通信手段を介さずに第一の所定の情報を取得する第１取得手段と、
前記外部装置により取得された第二の所定の情報を、当該外部装置から前記通信手段を介して取得する第２取得手段と、
前記通信手段により前記外部装置と情報通信可能に接続されているか否かを判定する判定手段と、
前記判定手段により前記外部装置と接続されていると判定されると、前記第２取得手段による取得処理を実行するとともに、前記第１取得手段による取得処理を停止させるように制御する制御手段と、
を備えたことを特徴とする情報通信装置。
【請求項１６】
通信回線を介して接続された外部装置と通信する通信手段を備える情報通信装置を用いた情報通信方法であって、
前記通信手段を介さずに第一の所定の情報を取得する第１取得ステップと、
前記外部装置により取得された第二の所定の情報を、当該外部装置から前記通信手段を介して取得する第２取得ステップと、
前記通信手段により前記外部装置と情報通信可能に接続されているか否かを判定する判定ステップと、
前記判定ステップにより前記外部装置と接続されていると判定されると、前記第２取得ステップによる取得処理を実行するとともに、前記第１取得ステップによる取得処理を停止させるように制御する制御ステップと、
を含むことを特徴とする情報通信方法。
【請求項１７】
前記第一の所定の情報及び前記第二の所定の情報は、ＧＰＳ情報であることを特徴とする請求項１又は１５に記載の情報通信装置。
【請求項１８】
前記第一の所定の情報及び前記第二の所定の情報は、ＧＰＳ情報であることを特徴とする請求項１０に記載の情報通信システム。